(57)【要約】      （修正有）【課題】巻き掛けプーリーからチェーンを繰り出す際に、そのチェーンが、ガイドレールなどを必要とせずにそのまま水平方向へ張り出すことを可能とし、これを利用することでガイドレールなしでコンベヤを配設したり、開いたシャッターが開口部分の庇となるようにする。【解決手段】長手方向に連接される機素１のうち後方機素１の長さ方向前端２が、前方機素１の中間部分に接続ピン３により回動自在に連接され、前方機素１の長さ方向後端７部分に後方機素１と着脱自在に係合する係止部８が設けられ、前後各機素１…を接続ピン３で連接してなるチェーンを巻き掛けるプーリー１９本体及びプーリー１９の送り方向の隣接した位置に係止部８を係脱させる係脱部１６が設けられ、プーリー１９の水平方向繰り出し側にはチェーンを支持するガイドローラー２２が設ける。【選択図】図１
2007321551.tif 000002
【特許請求の範囲】
【請求項１】
長手方向に連接される機素のうち後方機素の長さ方向前端が、前方機素の中間部分に接続ピンにより回動自在に連接され、前記前方機素の長さ方向後端部分に前記後方機素と着脱自在に係合する係合部が設けられ、前記前後各機素を前記接続ピンで連接してなるチェーンを巻き掛けるプーリー本体及び該プーリーの送り方向前後の隣接した位置に前記係合部を係脱させる係脱部が設けられ、前記プーリーの水平方向繰り出し側には前記チェーンを支持するガイドローラーが設けられてなることを特徴とする延出チェーン。
【請求項２】
延出チェーンを構成する機素のうち、先端の機素にシリンダピストン装置のピストンが連接されてなる請求項１に記載の延出チェーン。
【請求項３】
延出チェーンを構成する機素に、ブラケットを介して搬送基板がそれぞれ取り付けられ、これら基板で搬送コンベヤが形成されるように構成された請求項１の延出チェーン。
【請求項４】
請求項１の延出チェーンが水平方向へ隔てて二列平行に設けられ、これらの延出チェーンの各機素間に、シャッター用帯状板が架設されてなるシャッター。
【発明の詳細な説明】
【技術分野】
【０００１】  この発明は延出チェーンおよびシャッターに関する。
【背景技術】
【０００２】  従来、巻き掛け装置としてチェーンが知られている。これらチェーンは機素を互いにピンで屈曲自在に連接したものでこれら機素に帯状板を取り付けたシャッター、あるいは帯状板自体を互いに連接することで構成したシャッターなどが知られている（特許文献１、２）。
このような構造のチェーンやシャッターは巻き掛けプーリーを駆動することで自動的に開閉操作できる利点がある。【０００３】  しかし、上記のようなチェーンあるいはシャッターは、いずれも互いの機素が連接部分で自由に屈曲するので、機素を一体的に固定し、例えば庇のように板状として水平方向へ延出させることはできない。【０００４】  従って、上記シャッターを設けた開口部に庇を設ける場合、水平方向へ張り出した庇をシャッターとは別に設けざるを得ない（特許文献１）。
あるいは開口部上部に庇部材を、ヒンジを介して折りたたみ可能に取り付け、シャッターを開いた後、庇部材を引き起こしステーで支持するといった構造にするといったことが行われている（特許文献２）。【０００５】  上記の構造のうち前者の庇を別設する場合は、開口部上縁に庇が恒久的に張り出すので建造物の投影面積が大きくなり周囲の空間を大きくとれない問題がある。【０００６】  一方、後者の庇を折り畳み可能としたものは、シャッター閉鎖時は開口がシャッターと庇部材とで二重に覆われるので構造的に無駄が多くなる問題があった。さらに、シャッター開放と庇の張り出し作業とが関連のない別作業となり、作業が面倒となる問題もある。
【特許文献１】特開平９−３００９９号公報
【特許文献２】実用新案登録第３０８４８７０号公報
【発明の開示】
【発明が解決しようとする課題】
【０００７】  この発明は上記問題を解決することを目的としてなされたものであり、巻き掛けプーリーからチェーンを繰り出す際に、そのチェーンが、ガイドレールなどを必要とせずにそのまま水平方向へ張り出すことを可能とし、これを利用することで開いたシャッターが開口部分の庇とすることを目的としてなされたものである。
【課題を解決するための手段】
【０００８】
【０００９】上記課題を解決するためこの発明の延出チェーンは、長手方向に連接される機素のうち後方機素の長さ方向前端が、前方機素の中間部分に接続ピンにより回動自在に連接され、前記前方機素の長さ方向後端部分に前記後方機素と着脱自在に係合する係合部が設けられ、前記前後各機素を前記接続ピンで連接してなるチェーンを巻き掛けるプーリー本体及び該プーリーの送り方向前後の隣接した位置に前記係合部を係脱させる係脱部が設けられ、前記プーリーの水平方向繰り出し側には前記チェーンを支持するガイドローラーが設けられてなることを特徴とするものである。【００１０】上記延出チェーンの先端にピストンシリンダ装置のピストンを連接したり、あるいは機素のそれぞれに搬送基板を取り付けることでコンベヤを構成することができる。
また、もう一つの発明は上記延出チェーンを利用したシャッターであって、上記の延出チェーンが水平方向へ隔てて二列平行に設けられ、これらの延出チェーンの各機素間に、シャッター用帯状板が架設されてなるものである。
【発明の効果】
【００１１】  この発明の延出チェーンは、付勢部により係合部を解除し機素同士が接続ピン部分で自由に回動出来るようにすれば、プーリーに巻き掛けられる。そしてプーリーからくり出され直列状態となったとき再び係合部で機素を固定すれば、機素は互いの回動屈曲が不能となりガイドローラーにより片持ち支持状態で延出していく。従って、ガイドレールなどを設けることなく水平方向へチェーンを延出させていくことが可能となるのである。【００１２】  また、これら機素により構成されるチェーンをピストンシリンダ装置のピストンロッドとして利用したり、あるいはコンベヤとしても利用可能となるなど、用途が広い。
また、シャッターの場合は、開放されたシャッターは、巻き上げプーリーから水平方向へ張り出させていくことができるので、日陰や雨よけの庇として利用可能となる。【００１３】  従って、巻き上げたシャッターが、そのまま開口部上部から水平方向へ張り出していくので、開口部上部に庇部材を別設したりガイドレールを設けるといった必要はなくなる。【００１４】  さらに、閉鎖時の開口部はシャッターだけで閉じられるので構造もすっきりし、簡単な構造とすることができる。【００１５】  そして、例えば倉庫の入り口や、トラックの屋根付き荷台の開口部をこのような構造のシャッターとすれば、シャッターを開口部の庇として利用できるので雨天時の荷役や晴天時の日よけなどとして有効に利用可能となる。
【発明を実施するための最良の形態】
【００１６】
【００２３】  次に、この発明の実施の形態である延出チェーンについて説明する。【００１７】  図１はこの発明の実施の形態である延出チェーンの側面図、図２はチェーンを構成する機素の平面図、図３は同右側面図、図４は同左側面図である。図５は要部断面図、図６は作動を説明する要部断面図である。【００１８】  図において、１は機素を示す。機素１は長さ方向前端２が、前方に位置する機素１の中間部分に接続ピン３により連接されている。機素１より後方の機素１との関係も同様とされ、後方の機素１の前端２が機素１の中間部分に接続ピン３により連接されている。【００１９】  そして各機素１…は接続ピン３部分で図１に示すように自由に屈曲可能とされている。【００２０】  各機素は、図２に示すように二本一対のフレーム５、６より構成されている。二本のフレーム５、６は、前端部２の幅が狭く、後端部４の幅が前端部２の幅を受容できるように広くされている。そして、接続ピン３を中心として機素１が回動したとき、前方機素１の後端部４が後方の機素１の前端部２と重なるようにされている。【００２１】  また、フレーム５の後端部分７は他方のフレーム６の後端より後方へ延出されている。長く伸びた一方のフレーム７の後端部分に係合部８の係止軸９の一端が嵌入する軸孔１０が穿設されている。
なお係止部８は、各機素１の後方部分で軸孔１０に対応する位置、即ちフレーム５、６の幅狭の前端部に設けられている。【００２２】  この係合部８は、軸孔１０と同軸となる係止軸９を有する。そして、係止軸９は矢印Ａで示すようにフレーム５、６間で軸方向へ摺動可能に軸支されている。【００２３】  この係止軸９の外面に円錐状ローラー１２が形成されている。図５、図６に示すように係止軸９の長さＨは、フレーム５、６間の幅Ｂよりフレーム５の厚さ分だけ長くされ、その長くなった部分長さだけ係止軸９はフレーム５より突出可能とされている。【００２４】  円錐状ローラー１２の大径側面１３には、くりぬき部１４が形成され、内部に係止軸９全体を軸方向へ押圧付勢するバネ１５が係止軸９と同軸に設けられている。従って、係止軸９は常時軸孔１０方向へ突き出るように付勢される。【００２５】  図１において、１６は係脱部を示す。この係脱部１６は先端の断面形状がテーパー状とされた、側面視舟形をなすガイド板１７と、このガイド板１７に機素１を押し当てるガイドローラー１８、１８より構成されている。【００２６】  このガイド板１７は係止軸９の円錐状ローラー１２の外面に接触し、かつ機素１の長さ方向に沿うように配置されている。ガイドローラー１８は、フレーム５、６に外周を接触させるように軸支されている。従って、機素１…は、ガイドローラー１８とガイド板１７との間に挟まれると、図６に示すようにガイド板１７が円錐状ローラー１２に接触し、傾斜面同士の接触により係止軸９をバネ１５の付勢力に抗して矢印Ｂで示すように軸孔１０から抜け出る方向へ移動する。【００２７】  機素１…よりなるチェーン２３は、ガイド板１７部分で軸孔１０から係止軸９が抜かれるので、接続ピン３周囲に回動可能となり、プーリー１９に沿って巻き掛け可能となる。一方、チェーン２３を巻き掛けるプーリー１９の外周には、機素１の接続ピン３と係合部８の円錐状ローラー１２に係合する凹入部２０、２１が形成されている。【００２８】  従ってチェーン２３は、接続ピン３を凹入部２０に、また係合部８を凹入部２１に嵌入させることでプーリー１９に噛み合って駆動される。【００２９】  プーリー１９の凹入部２１の断面形状はガイド板１７の先端部と同様テーパー状とされ、円錐状ローラー１２が噛み合い接触している間は、係止軸９をバネ１５の付勢力に抗して軸孔１０から抜け出る方向へ押さえつけている。【００３０】  なお、プーリー１９の凹入部２１の凹入深さは、二つの接続ピン３、３で噛み合う機素１の円錐状ローラー１２が干渉しない深さとされ、主に凹入部２１の側面部分２１ａが接触するような形状とされている。
プーリー１９から繰り出されたチェーンを支持するガイドローラー２２がプーリー１９に隣接して設けられている。【００３１】  次に延出チェーン２３の作動について説明する。
まず図１において、プーリー１９を時計回りへ回転させて、チェーン２３を図の下方から引き上げ、次いで右方へ繰り出す場合について説明する。
下方よりプーリー１９へ向かう機素１は、係止軸９を軸孔１０に嵌入させることで、接続ピン３を軸とする回動が阻止され全体が棒状となって引き上げられて行く。【００３２】  機素１がプーリーに近づき、ガイドローラー１８とガイド板１７の間に挟まれると、図７に示すように係止軸９の円錐状ローラー１２がガイド板１７先端縁と接触し、係止軸９が軸孔１０から抜け出る方向へ移動される。
これによって係合部８における係止軸９のフレーム５に対する係合が解かれる。【００３３】  従って、ガイド板１７の通過時に、機素１は接続ピン３を中心として屈曲可能となる。この直後機素はプーリー１９の外周に沿って屈曲し始め、図８に示すようにプーリー１９に巻きついて回転移動していく。
また、プーリー１９が機素１と係合している間は、凹入部２１が円錐状ローラー１２と係合しているので係止軸９は軸孔１０から抜け出た方向に固定されたままとされている。【００３４】  ついで、機素１の姿勢がほぼ水平方向に近づくと、前方の機素１と直線状となる。このとき、プーリー１９と円錐状ローラー１２とは次第に離れだし、凹入部２１から円錐状ローラー１２が抜け出して行き、この結果、係止軸９はバネ１５の弾性付勢力により次第に軸孔１０方向へせり出していく。【００３５】  このとき二つの機素１は直線状に配列された状態となっているので、せり出した係止軸９は軸孔１０へと嵌入し、接続ピン３を中心とした相互の屈曲回転を阻止する。
従ってプーリー１９から繰り出されたチェーン２３は再び固定され、相互の回動が阻止されて直線状となって送り出される。
そして、ガイドローラー１４の支持によって、チェーン２３はガイドレール等が無くても棒状となって延出されていくのである。【００３６】  次に、プーリー１９を逆方向へ回転させてチェーン２３を引き込む場合を説明する。
水平方向に伸びたチェーン２３は、プーリー１９の左回転によって引き込まれる。プーリー１９の凹入部２１に円錐状ローラー１２がかみ合うと、プーリー１９との接触により係止軸９が軸孔１０から抜け出る方向へ移動させられる。【００３７】  これにより機素１は接続ピン３を中心として回動可能となり、プーリー１９外周に沿って曲折していく。
そして、垂直下方へ姿勢を変え直線となったとき、円錐状ローラー１２は、プーリー１９との接触から離れ、ガイド板１７へと乗り換えていく。【００３８】  このガイド板１７に沿って移動している時に機素１は直線状に配列される。ついで、ガイド板１７から離れるに従って係止軸９は軸孔１０方向へせり出し、やがて係合する。
したがってガイド板１７を通過し終わった機素１は再び棒状に連結されて下方へと送られていく。【００３９】  なお、円錐状ローラー１２に対し、プーリー１９を右回転させて移動する場合はガイド板１７を接触させて移動させ、逆方向の回転で移動する場合は、プーリー１９のみで移動させる構成とした理由は、接続ピン３と円錐状ローラー１２とのプーリー１９へ入っていく順番が送り出しと引き込みとで逆になるからである。【００４０】  即ち、プーリー１９を右回転させる場合、接続ピン３がプーリー１９の凹入部２０に噛みあい、次いで円錐状ローラー１２が凹入部２１に噛み合っていくので、機素１がプーリー１９に沿って曲折するには、係止軸９が軸孔１０から抜け出ている必要がある。
従ってプーリー１９に機素１が噛み合う前に、係止軸９を軸孔１０から抜け出させるため、ガイド板１２を設けるのである。【００４１】  一方、逆の場合は、円錐状ローラー１２が先にプーリー１９に噛み合い、次いで接続ピン３がプーリー１９へ噛み合う。従って、接続ピン３がプーリーに噛み合うときは、すでに係止軸９が軸孔１０から抜け出た状態となっている。このため、逆回転の場合は、ガイド板１７は不要となり、プーリー１９との噛み合いだけで係合部の係脱が可能となるのである。【００４２】  以上説明したように、延出チェーン２３は、水平方向へガイドレールなどの支持部材を要することなく延出していくことができる。
なお、上記の延出チェーン２３は、図９に示すようにプーリー１９に対しＵ字状に曲折した配置とすることも出来る。【００４３】  このような構成とした場合、図１０に示すように、延出チェーン２３の先端にシリンダピストン装置３０を配置し、チェーン２３をピストンロッド３１として機能させることができる。
図示のように、ピストンロッド３１はプーリー１９部分で曲折させられることとなるので、シリンダ３２位置によってピストンロッド３１の行程が制限されるという制約がなくなる。なお図中３３はシリンダ３２のインポート、３４はイクスポートを示す。【００４４】  また、延出チェーン２３は、図１１〜図１３に示すように搬送コンベヤ３５として利用することも可能となる。この場合は、図１４に示すように機素１のフレーム５、６にブラケット３７、３７を取り付け、このブラケット３７に支持板３６を取り付けることでコンベヤ３５を構成する。なお、図１４にはローラー１２、ピン３などは図示が省略されている。【００４５】  コンベヤ３５はガイドレールなどを設けることなく片持ち状となって自由に延出ないしは引き込むことができる。
また、図１２、図１３に示すように二つのコンベヤ３５を交叉して配置し、互いのコンベヤ３５で荷物Ｗの受け渡しをすることで複雑な搬送経路を、ガイドレールなしで構成することが可能となる。
なお、図１２において図中３６は駆動モーターを示す。なお図１０、図１１、図１３には駆動モーターは明示されていない。【００４６】  以上のように、延出チェーン２３は、コンベヤとしても利用可能となる。【００４７】  次に、上記延出チェーンを用いたシャッターについて説明する。
図１５は閉鎖時のシャッターを示す要部斜視図、図１６は開放時のシャッターを示す要部斜視図である。【００４８】  シャッター２５は、平行間隔隔てて平行に配置した延出チェーン２３、２３間に帯状板２４を架設することで構成されている。
なお上記チェーン２３は先に説明した機素１を連接してなる延出チェーン２３と同じであるので詳細な説明は省略する。
帯状板２４は、チェーン２３に沿って多数架設され、図１５に示すように、一連となって開口を遮断するようにされている。【００４９】  次に、このシャッターの開閉作動について説明する。
先の延出チェーン２３で説明したのと同様、開口部を閉鎖していたシャッター２５は、プーリー１９の回転に伴って次第に引き上げられていく。引き上げられたシャッター２５は、プーリー１９より繰り出されたあとは図１６に示すように水平方向へ張り出していく。【００５０】  従って、シャッターは開口部の庇となって延出されていく。
逆に開口部を閉じる場合はプーリー１９を逆回転させる。これにより水平に張り出されていたシャッター２５は、開口部を閉じるように垂直下方へと引き下げられていく。そして、引き下げられたシャッター２５により開口部は閉じられる。【００５１】  以上のように、この発明のシャッター２５は、開放すればガイドレールなどは必要とせずに庇状に張り出すので、雨天時や晴天時に非情に軽便な使用が可能となる。
このため、倉庫の開口部などのシャッターとして利用すれば、雨天時の庇や、晴天時の日よけとして利用出来る。また、貨物自動車の荷台覆いの開口部として利用すれば、荷物の積み下ろし時の庇や日よけともなり、非情に軽便な使用が可能となる。
【図面の簡単な説明】
【図１】  延出チェーンの側面図である。
【図２】  チェーンを構成する機素の平面図である。
【図３】  図２の右側面図である。
【図４】  図２の左側面図であるである。
【図５】  図２のｃ−ｃ線矢視断面図である。
【図６】  作動を説明するｃ−ｃ線矢視断面図である。
【図７】  チェーンの作動説明断面図である。
【図８】  図７の状態より約１５°回転させた状態の作動説明断面図である。
【図９】  延出チェーンの他の使用状態を示す側面図である。
【図１０】  延出チェーンをピストンロッドとして利用した場合す要部側面図である。
【図１１】  延出チェーンをコンベヤとして利用した場合す要部側面図である。
【図１２】  延出チェーンを他のコンベヤとして利用した場合す要部側面図である。
【図１３】  延出チェーンをコンベヤとして利用した場合の、組み立て構造の要部を示す透視図である。
【図１４】  図１２で示す他のコンベヤの配置関係を示す概念斜視図である。
【図１５】  延出チェーンを用いたシャッターの閉鎖状態を示す斜視図である。。
【図１６】  延出チェーンを用いたシャッターの開放状態を示す斜視図である。。
【図１７】  延出チェーンを用いたシャッターの側面図である。
【符号の説明】
１    機素
２    長さ方向前端
３    接続ピン
４    後端部
５    フレーム
６    フレーム
７    後端部分
８    係合部
９    係止軸
１０    軸孔
１２    円錐状ローラー
１３    円錐状ローラーの大径側面
１４    くりぬき部
１５    バネ
１６    係脱部
１７    ガイド板
１８    ガイドローラー
１９    プーリー
２０    凹入部
２１    凹入部
２２    ガイドローラー
２３    延出チェーン
２４    帯状板
（書類名）図面
（図１）
（図２）
（図３）
（図４）
（図５）
（図６）
（図７）
（図８）
（図９）
（図１０）
（図１１）
（図１２）
（図１３）
（図１４）
（図１５）
（図１６）
（図１７）
【図１】
2007321551.tif 000003
【図２】
2007321551.tif 000004
【図３】
2007321551.tif 000005
【図４】
2007321551.tif 000006
【図５】
2007321551.tif 000007
【図６】
2007321551.tif 000008
【図７】
2007321551.tif 000009
【図８】
2007321551.tif 000010
【図９】
2007321551.tif 000011
【図１０】
2007321551.tif 000012
【図１１】
2007321551.tif 000013
【図１２】
2007321551.tif 000014
【図１３】
2007321551.tif 000015
【図１４】
2007321551.tif 000016
【図１５】
2007321551.tif 000017
【図１６】
2007321551.tif 000018
【図１７】
2007321551.tif 000019